(57)【要約】【課題】プッシュトゥトークにおいて、発言権の有無や発言権の所持者に応じて音声と音楽を合成して再生することにより、発言権を所持している話者の特定を容易にする。【解決手段】通信部１００が発言権の所持者識別子を受信すると、発言権の所持者識別子を発言権所持者取得部１１１に送信し、発言権所持者取得部１１１は受信した発言権の所持者識別子を音楽選択部１１２に送信し、音楽選択部１１２は受信した発言権の所持者識別子と組みとなる音楽識別子を音楽識別子記憶部１２１から読み込み、合成部１３０に送信し、合成部１３０は音楽識別子に対応する音楽データを音楽記憶部１２２から読み込み、通信部１００から受信した音声データと音楽データを合成した音データを再生部１４０に送信し、再生部１４０は合成部１３０から受信した音データを再生する。【選択図】図１
2008236640.tif 000002
【特許請求の範囲】
【請求項１】
プッシュトゥトークに必要な通信を実行する端末側通信部と、
発言権の所持者に対応付けられている音楽データの選択処理を行うデータ処理部と、
音楽データを保持する記憶部と、
前記端末側通信部を用いて受信した音声データと前記記憶部に保持されている音楽データを合成して音データを作成し、送信する合成部と、
前記合成部が作成した前記音データを受信し、再生する再生部と、
を具備することを特徴とする発言権特定端末。
【請求項２】
前記記憶部は、
音楽識別子記憶部と、音楽記憶部とを、更に具備し、
前記音楽識別子記憶部は、
発言権の所持者識別子と音楽識別子の組みを保持し、
前記音楽記憶部は、
前記音楽識別子記憶部が保持する前記音楽識別子に対応する音楽データを保持する
ことを特徴とする請求項１に記載の発言権特定端末。
【請求項３】
前記データ処理部は、
発言権所持者取得手段を、更に具備し、
前記端末側通信部は、
前記音声データを受信したときは、当該音声データを前記合成部に送信し、
発言権の所持者識別子又は発言権解放識別子を受信したときは、当該発言権の所持者識別子又は当該発言権解放識別子を、前記発言権所持者取得手段に送信する
ことを特徴とする請求項１記載の発言権特定端末。
【請求項４】
前記合成部は、
音楽識別子を受信した場合は、前記音楽識別子に対応する前記音楽データを前記記憶部から読み込む
ことを特徴とする請求項１に記載の発言権特定端末。
【請求項５】
前記合成部は、
前記音声データを受信した場合は、前記音声データと前記音楽データを合成した前記音データを前記再生部に送信し、
前記音声データを受信しなかった場合は、前記音楽データのみを前記音データとして前記再生部に送信する
ことを特徴とする請求項１記載の発言権特定端末。
【請求項６】
前記合成部は、
前記発言権解放識別子を受信した場合は、前記再生部への前記音データの送信を停止する
ことを特徴とする請求項３に記載の発言権特定端末。
【請求項７】
前記記憶部は、
未使用音楽識別子記憶部を、更に具備し、
前記未使用音楽識別子記憶部は、前記音楽識別子記憶部に書き込まれていない音楽識別子を保持する
ことを特徴とする請求項６記載の発言権特定端末。
【請求項８】
前記データ処理部は、
発言権所持者取得手段と音楽選択手段とを、更に具備し、
前記発言権所持者取得手段は、発言権の所持者識別子を受信した場合は、前記発言権の所持者識別子を前記音楽選択手段に送信し、発言権解放識別子を受信した場合は、前記発言権解放識別子を前記合成部に送信し、
前記音楽選択手段は、前記発言権の所持者識別子と組みとなる前記音楽識別子を前記音楽識別子記憶部から探し、組みとなる前記音楽識別子が存在する場合は、前記音楽識別子を読み込み、前記音楽識別子を前記合成部に送信し、
組みとなる前記音楽識別子が存在しない場合は、前記未使用音楽識別子記憶部から任意の音楽識別子を削除し、当該任意の音楽識別子を前記発言権の所持者識別子と組みとして前記音楽識別子記憶部に書き込み、前記任意の音楽識別子を前記合成部に送信する
ことを特徴とする請求項７記載の発言権特定端末。
【請求項９】
前記音楽データは、メロディ、歌、ノイズ音のうち、何れかの音データである
ことを特徴とする請求項１項に記載の発言権特定端末。
【請求項１０】
プッシュトゥトークに必要な通信を実行するサーバ側通信部と、
発言権の所持者に対応付けられている音楽データの選択処理を行うデータ処理部と、
音楽データを保持する記憶部と、
前記端末側通信部を用いて受信した音声データと前記記憶部に保持されている音楽データを合成して音データを作成し、送信する合成部と、
を具備することを特徴とするサーバ装置。
【請求項１１】
プッシュトゥトークに必要な通信を実行する端末側通信部と、
受信した音データを再生する再生部と、
を具備することを特徴とする端末。
【請求項１２】
請求項１０記載の前記サーバ装置を少なくとも１台以上具備し、
請求項１１記載の前記端末を少なくとも１台以上具備する
ことを特徴とする発言権特定システム。
【請求項１３】
端末と、サーバ装置とを備えた発言権特定システムであって、
前記サーバ装置は、
プッシュトゥトークに必要な通信を実行するサーバ側通信部と、
発言権の所持者に対応付けられている音楽データの選択処理を行うデータ処理部と、
音楽データを保持する記憶部と、
前記端末側通信部を用いて受信した音声データと前記記憶部に保持されている音楽データを合成して音データを作成し、送信する合成部と、を具備し、
前記端末は、
プッシュトゥトークに必要な通信を実行する端末側通信部と、
受信した音データを再生する再生部と、を具備する
ことを特徴とする発言権特定システム。
【請求項１４】
前記記憶部は、
音楽識別子記憶部と、音楽記憶部とを、更に具備し、
前記音楽識別子記憶部は、
発言権の所持者識別子と音楽識別子の組みを保持し、
前記音楽記憶部は、
前記音楽識別子記憶部が保持する前記音楽識別子に対応する前記音楽データを保持する
ことを特徴とする請求項１２又は１３に記載の発言権特定システム。
【請求項１５】
前記データ処理部は、
発言権所持者取得手段と音楽選択手段とを、更に具備し、
前記発言権所持者取得手段は、前記発言権の所持者識別子を受信した場合は、前記発言権の所持者識別子を前記音楽選択手段に送信し、発言権解放識別子を受信した場合は、前記発言権解放識別子を前記合成部に送信し、
前記音楽選択手段は、前記発言権の所持者識別子と組みとなる前記音楽識別子を前記音楽識別子記憶部から読み込み、前記合成部に送信する
ことを特徴とする請求項１４記載の発言権特定システム。
【請求項１６】
前記データ処理部は、
発言権所持者取得手段を、更に具備し、
前記サーバ側通信部は、
音声データを受信したときは、前記音声データを前記合成部に送信し、
発言権の所持者識別子又は発言権解放識別子を受信したときは、当該発言権の所持者識別子又は当該発言権解放識別子を、前記発言権所持者取得手段に送信し、
前記合成部から音データを受信したときは、当該音データを前記端末に送信する
ことを特徴とする請求項１２又は１３に記載の発言権特定システム。
【請求項１７】
前記合成部は、
音楽識別子を受信した場合は、前記音楽識別子に対応する前記音楽データを前記記憶部から読み込む
ことを特徴とする請求項１２又は１３に記載の発言権特定システム。
【請求項１８】
前記合成部は、
前記音声データを受信した場合は、前記音声データと前記音楽データを合成した前記音データを前記サーバ側通信部に送信し、
前記音声データを受信しなかった場合は、前記音楽データのみを前記音データとして前記サーバ側通信部に送信する
ことを特徴とする請求項１２又は１３に記載の発言権特定システム。
【請求項１９】
前記合成部は、
発言権解放識別子を受信した場合は、前記サーバ側通信部への前記音データの送信を停止する
ことを特徴とする請求項１５又は１６に記載の発言権特定システム。
【請求項２０】
前記端末側通信部は、
前記音データを受信したときは、前記音データを前記再生部に送信する
ことを特徴とする請求項１２又は１３に記載の発言権特定システム。
【請求項２１】
前記音楽データは、メロディ、歌、ノイズ音のうち、何れかの音データである
ことを特徴とする請求項１２又は１３に記載の発言権特定システム。
【請求項２２】
発言権特定システムにおける発言権特定方法であって、
プッシュトゥトークに必要なデータを受信するステップと、
音楽識別子を取得するステップと、
前記音楽識別子に対応する音楽データを取得するステップと、
音データを作成するステップと、
作成した前記音データを再生するステップと、
を具備することを特徴とする発言権特定方法。
【請求項２３】
前記音楽識別子を取得するステップが、発言権の所持者識別子と組みとなる音楽識別子を取得するステップ
であることを特徴とする請求項２２記載の発言権特定方法。
【請求項２４】
前記プッシュトゥトークに必要なデータを受信するステップが音声データを受信していないときは、
前記音データを作成するステップが、前記音楽データのみから前記音データを作成するステップ
であることを特徴とする請求項２２記載の発言権特定方法。
【請求項２５】
前記プッシュトゥトークに必要なデータを受信するステップが音声データを受信しているときは、
前記音データを作成するステップが、前記音声データと前記音楽データを合成して前記音データを作成するステップ
であることを特徴とする請求項２２記載の発言権特定方法。
【請求項２６】
発言権解放識別子を受信するステップと、
音データの作成を停止するステップと、
音データの再生を停止するステップと、
を更に具備することを特徴とする請求項２２記載の発言権特定方法。
【請求項２７】
前記音データの作成を停止するステップは、
前記発言権解放識別子を受信したときに前記音データの作成を停止するステップ
であることを特徴とする請求項２６記載の発言権特定方法。
【請求項２８】
前記音データの再生を停止するステップは、
前記発言権解放識別子を受信したときに前記音データの再生を停止するステップ
であることを特徴とする請求項２６記載の発言権特定方法。
【請求項２９】
前記音楽識別子を取得するステップにおいて、
発言権の所持者識別子と組みとなる前記音楽識別子を探し、
組みとなる前記音楽識別子が存在しない場合は、未使用の音楽識別子を取得し、前記未使用の音楽識別子を使用済みとして記憶し、前記発言権の所持者識別子と前記未使用の音楽識別子とを組みとして記憶し、
組みとなる前記音楽識別子が存在する場合は、前記音楽識別子を取得するステップ
であることを特徴とする請求項２２記載の発言権特定方法。
【発明の詳細な説明】
【技術分野】
【０００１】
本発明は、発言権特定システム、発言権特定方法、発言権特定端末、サーバ装置及び端末に関し、プッシュトゥトーク(push-to-talk)において発言権の所持者に応じた音楽を音声と合成して再生することにより、自身の発言権の有無や発言権の所持者を音から特定する発言権特定システム、発言権特定方法、発言権特定端末、サーバ装置及び端末に関する。
【背景技術】
【０００２】
従来、公衆電話機や携帯電話等の電話機に関するものが、一般需要者の間に広く普及している。
【０００３】
また近年、技術の進歩及び電話機の発展もめざましく、この電話機に関するものに対し、技術の進歩によって、従来より多機能化が実現されると共に、より小型化された携帯電話が普及している。
【０００４】
そこで、この電話機に関するものであって、様々な機能やアプリケーションが付加された電話機に関する装置などが、特許文献１乃至４や非特許文献１などに記載されている。
【０００５】
まず、特許文献１には、発信側で音声に音楽等を合成して、通話先に送出する装置について記載されている。
【０００６】
次に、特許文献２には、スイッチを押したときに発信側において音声とバックグラウンドミュージックを合成して通話先に送出する装置について記載されている。
【０００７】
そして、特許文献３には、通話先相手に応じて割り当てられた可聴コンテンツ情報を、発信側で音声と合成して通話先に送出する装置について記載されている。
【０００８】
また、特許文献４には、着信側で受信した音声と音楽等を合成する装置について記載されている。
【０００９】
ここで、特許文献１乃至３に記載されたものには、発信側で音声と音楽を合成する手段を備え、合成した音声を通話先に送出する手段を備えている。
【００１０】
一方、特許文献４には、着信側で音声と音楽等を合成する手段を備えている。
【００１１】
また、既存技術として非特許文献１には、音声送信において無音部分を省くことにより送信データ量を削減する技術について記述されている。
【特許文献１】特開昭６３−１８４４４７号公報
【特許文献２】特公平０６−０１２９０９号公報
【特許文献３】特開２００４−１７９８２８号公報
【特許文献４】特開２００６−８１０５１号公報
【非特許文献１】ユニシスニュース(https://www.unisys.co.jp/PDF/UNISYSNEWS/news0006.pdf),  pp.14
【発明の開示】
【発明が解決しようとする課題】
【００１２】
しかしながら、特許文献１に記載されたものでは、通話の開始から終了まで音声と通話先によらず、決まった音楽を合成して通話先に送出するため、通話先ごとに合成する音楽を変更することはできず、また、着信側で希望の音楽と合成することができない。
【００１３】
また、特許文献２に記載されたものでは、スイッチを押したときに音声と通話先によらず、決まったバックグラウンドミュージックを合成して通話先に送出するため、通話先ごとに合成する音楽を変更することはできず、また、着信側で希望のバックグラウンドミュージックと合成することができない。
【００１４】
また、特許文献３に記載されたものでは、１対１通話のみが可能な電話機において通話の開始から終了まで通話先に応じて割り当てられた可聴コンテンツ情報を音声と合成して通話先に送出するため、多対多通話のように複数の通話先が存在する通話には適用できない。
【００１５】
また、特許文献４に記載されたものでは、通話の開始から終了まで音声と発信側から受信したコントロールデータに基づいて、生成した音楽を合成して再生するため、コントロールデータの送受信手段が必要となり、また、着信側で希望の音楽と合成することができない。
【００１６】
また、非特許文献１に記載されたものでは、メロディデータの選択権が送信側にあり、複数の発言者が同じメロディを設定した場合に、受信側で発言者の区別が付かない。
【００１７】
ここで、既存技術としてプッシュトゥトークが挙げられる。
【００１８】
このプッシュトゥトークは、多対多の半二重通話を実現している。携帯電話キャリアが提供しているプッシュトゥトークサービスでは、発言権の取得、解放時に、その旨を示す音楽を再生することができる。
【００１９】
しかしながら、特許文献１乃至４及び非特許文献１に記載された電話機に関するものでは、プッシュトゥトークにおいて、以下のような４つの問題点が発生する。
【００２０】
まず、第１の問題点は、プッシュトゥトークにおいて、ユーザ自身の発言権の有無を、再生される音から自分自身の発言権を示す音か、或いは他人の発言権を示す音か識別しづらいことである。
【００２１】
その理由は、発言権の取得もしくは解放時に、その旨を示す音楽を再生することができるが、万一、その音楽を聞き漏らした場合には、自分が発言権を取得できたかどうか、再生される音から知る手段がないためである。
【００２２】
次に、第２の問題点は、プッシュトゥトークにおいて、再生される音から発言権の所持者を識別することができないことである。
【００２３】
その理由は、発言権の取得もしくは解放時に、その旨を示す音楽を再生することができるが、発言権の所持者に応じて異なる音楽を再生することができないためである。
【００２４】
また、第３の問題点は、プッシュトゥトークにおいて、発言権の所持者が話をしていないときに、自身の発言権の有無や、再生される音から発言権の所持者を識別することができないことである。
【００２５】
その理由は、発言権の所持者が話をしていないときは無音となるため、誰が発言権を持っているのか、音から知る手段がないためである。
【００２６】
また、第４の問題点は、プッシュトゥトークにおいて、発言者の話と音楽を発信者側の端末において合成した場合、送受信データ量が多くなってしまうことである。
【００２７】
その理由は、発言者が話をしていないときは、無音としてデータの送信を行わずにデータ量を削減するのが一般的であるが、音楽と合成した場合には話をしていないときであっても音楽は送信され続けるため、無音部分がなくなり送信データ量の削減ができないためである。
【００２８】
本発明は、上記問題点に鑑みてなされたものであり、プッシュトゥトークにおいて、発言権の有無や発言権の所持者に応じて音声と音楽を合成して再生することにより、発言権を所持している話者の特定を容易にする発言権特定システム、発言権特定方法、発言権特定端末、サーバ装置及び端末を提供することを目的とする。
【課題を解決するための手段】
【００２９】
本発明に係る発言権特定端末は、プッシュトゥトークに必要な通信を実行する端末側通信部と、発言権の所持者に対応付けられている音楽データの選択処理を行うデータ処理部と、音楽データを保持する記憶部と、前記端末側通信部を用いて受信した音声データと前記記憶部に保持されている音楽データを合成して音データを作成し、送信する合成部と、前記合成部が作成した前記音データを受信し、再生する再生部と、を具備することを特徴とする。
【００３０】
本発明に係る発言権特定システムは、端末と、サーバ装置とを備えた発言権特定システムであって、前記サーバ装置は、プッシュトゥトークに必要な通信を実行するサーバ側通信部と、発言権の所持者に対応付けられている音楽データの選択処理を行うデータ処理部と、音楽データを保持する記憶部と、前記端末側通信部を用いて受信した音声データと前記記憶部に保持されている音楽データを合成して音データを作成し、送信する合成部と、を備え、前記端末は、プッシュトゥトークに必要な通信を実行する端末側通信部と、受信した音データを再生する再生部とを備えることを特徴とする。
【発明の効果】
【００３１】
本発明によれば、記憶部に登録しておく音楽を、ユーザ自身と他者とで異なる音楽にしておくことにより、再生される音楽からユーザ自身の発言権の有無が判断できるので、ユーザ自身の発言権の有無を再生される音から判断することができる。
【００３２】
かくして、プッシュトゥトークにおいて、発言権の有無や発言権の所持者に応じて音声と音楽を合成して再生することにより、発言権を所持している話者の特定を容易にする発言権特定システム、発言権特定方法、発言権特定端末、サーバ装置及び端末を実現できる。
【発明を実施するための最良の形態】
【００３３】
次に、本発明に係る第１の実施の形態の構成について、図面を参照して詳細に説明する。
（１）第１の実施の形態による発言権特定端末
（１−１）発言権特定端末の構成
図１は、本発明に係る第１の実施の形態による発言権特定端末の構成を示すブロック図である。
【００３４】
図１に示す発言権特定端末は、端末１０によって実現されている。
【００３５】
端末１０は、通信部１００と、データ処理部１１０と、記憶部１２０と、合成部１３０と、再生部１４０とを備えている。
【００３６】
記憶部１２０は、音楽識別子記憶部１２１と、音楽記憶部１２２とを備えている。
【００３７】
音楽識別子記憶部１２１は、発言権の所持者識別子Ｓ１と、音楽識別子Ｓ３の組みを保持する。
【００３８】
音楽記憶部１２２は、音楽識別子記憶部１２１が保持する音楽識別子Ｓ３に対応する音楽データＳ５を保持する。
【００３９】
データ処理部１１０は、発言権所持者取得部１１１と、音楽選択部１１２とを備えている。
【００４０】
発言権所持者取得部１１１は、通信部１００から発言権の所持者識別子Ｓ１を受信した場合には、発言権の所持者識別子Ｓ１を音楽選択部１１２に送信し、発言権解放識別子Ｓ２を通信部１００から受信した場合には、発言権解放識別子Ｓ２を合成部１３０に送信する。
【００４１】
音楽選択部１１２は、発言権の所持者識別子Ｓ１から、合成する音楽識別子Ｓ３を音楽識別子記憶部１２１から読み込み、その音楽識別子Ｓ３を合成部１３０に送信する。
【００４２】
通信部１００は、プッシュトゥトークに必要な通信を実行する。
【００４３】
通信部１００は、プッシュトゥトークの音声データＳ４を受信したときは、音声データＳ４を合成部１３０に送信し、発言権の所持者識別子Ｓ１や発言権解放識別子Ｓ２を取得したときは、それぞれ発言権の所持者識別子Ｓ１や発言権解放識別子Ｓ２を発言権所持者取得部１１１に送信する。
【００４４】
合成部１３０は、音楽選択部１１２から受信した音楽識別子Ｓ３に対応する音楽データＳ５を音楽記憶部１２２から読み込み、通信部１００から音声データＳ４を受信した場合には、前記音声データＳ４と前記音楽データＳ５を合成した音データＳ６を再生部１４０に送信し、音声データＳ４を受信しなかった場合には、前記音楽データＳ５のみを音データＳ６として再生部１４０に送信する。
【００４５】
また、合成部１３０は、発言権所持者取得部１１１から発言権解放識別子Ｓ２を受信した場合には、再生部１４０への音データＳ６の送信を停止する。
【００４６】
再生部１４０は、合成部１３０から受信した音データＳ６を再生する。
（１−２）発言権特定端末の全体動作
次に、図１及び２と、図３のフローチャートを参照しながら、第１の実施の形態による発言権特定端末の全体の動作について詳細に説明する。
【００４７】
音楽識別子記憶部１２１は、予め、図２（Ａ）に示すように、発言権の所持者識別子５００と音楽識別子５１０との組みを保持するものとする。
【００４８】
また音楽記憶部１２２は、予め、図２（Ｂ）に示すように、音楽識別子５１０に対応する音楽データ５２０を保持するものとする。
【００４９】
今、通信部１００が、発言権の所持者識別子５００を受信したとする。
【００５０】
通信部１００は、プッシュトゥトークに必要な通信の受信を待つ(図３のステップＡ１)。
【００５１】
通信部１００が発言権の所持者識別子５００を受信すると(図３のステップＡ２)、発言権の所持者識別子５００を発言権所持者取得部１１１に送信する(図３のステップＡ３)。
【００５２】
発言権所持者取得部１１１が発言権の所持者識別子５００を受信すると、発言権の所持者識別子５００を音楽選択部１１２に送信する(図３のステップＡ４)。
【００５３】
音楽選択部１１２は、受信した発言権の所持者識別子５００と組みとなる音楽識別子５１０を、音楽識別子記憶部１２１から読み出し(図３のステップＡ５)、合成部１３０に送信する(図３のステップＡ６)。
【００５４】
合成部１３０が音楽識別子５１０を受信すると、音楽識別子５１０に対応する音楽データ５２０を、音楽記憶部１２２から読み出す(図３のステップＡ７)。
【００５５】
通信部１００から音声データＳ４を受信していないため、音楽データ５２０を音データＳ６として再生部１４０に送信する(図３のステップＡ８)。
【００５６】
再生部１４０は、合成部１３０から受信した音データＳ６を再生する(図３のステップＡ９)。
【００５７】
次に、通信部１００が、更に音声データＳ４を受信したとする。
【００５８】
通信部１００が音声データＳ４を受信すると(図３のステップＡ１０)、音声データＳ４を合成部１３０に送信する(図３のステップＡ１１)。
【００５９】
合成部１３０が音声データＳ４を受信すると、音楽データ５２０と音声データＳ４を合成した音データＳ６を再生部１４０に送信する(図３のステップＡ１２)。
【００６０】
再生部１４０は、合成部１３０から受信した音データＳ６を再生する(図３のステップＡ９)。
【００６１】
次に、通信部１００が、更に発言権解放識別子Ｓ２を受信したとする。
【００６２】
通信部１００が発言権解放識別子Ｓ２を受信すると(図３のステップＡ１３)、発言権解放識別子Ｓ２を発言権所持者取得部１１１に送信する(図３のステップＡ１４)。
【００６３】
発言権所持者取得部１１１が発言権解放識別子Ｓ２を受信すると、発言権解放識別子Ｓ２を合成部１３０に送信する(図３のステップＡ１５)。
【００６４】
合成部１３０が発言権解放識別子Ｓ２を受信すると、再生部１４０への音データＳ６の送信を停止する(図３のステップＡ１６)。
（１−３）第１の実施の形態による発言権特定端末の効果
本実施の形態によれば、発言権の所持者に応じて音声と合成する音楽を変更できる。そのため、自身と他者とで異なる音楽を登録することにより、再生される音楽から自身の発言権の有無を判断できる。
【００６５】
また、全ての話者に異なる音楽を登録することにより、再生される音楽から発言権を所持している話者を特定できる。
【００６６】
また、発言権の所持者と組みとなる音楽識別子に対応する音楽が、音声の有無によらず常に再生されるので、発言権の所持者が話をしていないときでも音楽から自身の発言権の有無や発言権の所持者を特定できる。
【００６７】
更に、音声と音楽との合成を受信端末側で行うため、発言権の所持者が話をしていないときは、発信端末側で音声を送信する必要がないので、発言権の所持者が話をしていない場合には、受信データ量の削減を行うことができる。
【００６８】
なお、本実施の形態における音楽データは、メロディや歌などのいわゆる一般的な音楽のみならず、ノイズなどの音データ全般を含め、聴覚において識別できるものであれば良い。
（２）第２の実施の形態による発言権特定端末
（２−１）発言権特定端末の構成
次に、本発明に係る第２の実施の形態による発言権特定端末について、図面を参照しながら詳細に説明する。
【００６９】
図４を参照すると、本発明に係る第２の実施の形態の端末１０は、第１の実施の形態の構成に加え、音楽識別子記憶部１２１に書き込まれていない音楽識別子Ｓ７を保持する未使用音楽識別子記憶部１２３を、記憶部１２０に備えている。
【００７０】
また、第２の実施の形態の音楽選択部１１３は、発言権の所持者識別子Ｓ１と組みとなる音楽識別子Ｓ３を音楽識別子記憶部１２１から探し、組みとなる音楽識別子Ｓ３が存在する場合には、その音楽識別子Ｓ３を読み込み、その音楽識別子Ｓ３を合成部１３０に送信する。
【００７１】
一方、組みとなる音楽識別子Ｓ３が存在しない場合には、未使用音楽識別子記憶部１２３から音楽識別子Ｓ７を削除し、その音楽識別子Ｓ７と発言権の所持者識別子Ｓ１と組みとして音楽識別子記憶部１２１に書き込み、その書き込まれた音楽識別子Ｓ７を合成部１３０に送信するように機能する。
（２−２）第２の実施形態による発言権特定端末の全体動作
次に、図４と、図５のフローチャートを参照して、本実施の形態の全体の動作について詳細に説明する。
【００７２】
本実施の形態の全体の動作は、音楽選択部１１３以外は本発明の第１の実施の形態と同じであるため、説明は省略する。
【００７３】
音楽選択部１１３は、発言権の所持者識別子Ｓ１と組みとなる音楽識別子Ｓ３を音楽識別子記憶部１２１から探す(図５のステップＢ１)。
【００７４】
組みとなる音楽識別子Ｓ３が存在する場合には、その音楽識別子Ｓ３を読み込み、合成部１３０に送信する(図５のステップＢ２、Ｂ３)。
【００７５】
一方、組みとなる音楽識別子Ｓ３が存在しない場合には、未使用音楽識別子記憶部１２３から任意の音楽識別子Ｓ７を削除する(図５のステップＢ４)。
【００７６】
削除した音楽識別子Ｓ７を発言権の所持者識別子Ｓ１と組みにして音楽識別子記憶部１２１に書き込み(図５のステップＢ５)、その音楽識別子Ｓ７を合成部１３０に送信する(図５のステップＢ３)。
（２−３）第２の実施の形態における発言権特定端末の効果
第２の実施の形態によれば、第１の実施の形態の効果に加え、音楽識別子記憶部１２１に予め発言権の所持者識別子Ｓ１と音楽識別子Ｓ３との組みを登録する必要がない。
【００７７】
なお、本実施の形態における音楽データは、メロディや歌などのいわゆる一般的な音楽のみならず、ノイズなどの音データ全般を含め、聴覚において識別できるものであれば良い。
（３）第３の実施の形態による発言権特定システム
（３−１）発言権特定システムによる全体構成
次に、本発明に係る第３の実施の形態による発言権特定システムについて、図面を参照しながら詳細に説明する。
【００７８】
図６を参照すると、本発明に係る第３の実施の形態の発言権特定システムは、端末２０と、サーバ３０とを備えている。
【００７９】
端末２０は、通信部１０１と、再生部１４０とを備えている。
【００８０】
通信部１０１は、プッシュトゥトークに必要な通信を実行する。
【００８１】
プッシュトゥトークの音声データをサーバ３０から受信したときは、音声データを再生部１４０に送信する。
【００８２】
再生部１４０は、第１の実施の形態と同様である。
【００８３】
サーバ３０は、通信部１０２と、データ処理部１１０と、記憶部１２０と、合成部１３１とを備えている。
【００８４】
通信部１０２は、プッシュトゥトークに必要な通信を実行する。
【００８５】
また通信部１０２は、サーバ３０の外部からプッシュトゥトークの音声データＳ４を受信したときは、音声データＳ４を合成部１３１に送信し、合成部１３１から音データＳ６を受信したときは、音データＳ６を端末２０に送信する。
【００８６】
そして、通信１０２は、発言権の所持者識別子Ｓ１や発言権解放識別子Ｓ２を取得したときは、発言権の所持者識別子Ｓ１や発言権解放識別子Ｓ２を発言権所持者取得部１１１に送信する。
【００８７】
合成部１３１は、音楽選択部１１２から受信した音楽識別子Ｓ３に対応する音楽データＳ５を音楽記憶部１２２から読み出し、通信部１０２から音声データＳ４を受信した場合は、前記音声データＳ４と前記音楽データＳ５を合成した音データＳ６を通信部１０２に送信し、音声データＳ４を受信しなかった場合は、前記音楽データＳ５のみを音データＳ６として通信部１０２に送信する。
【００８８】
また、合成部１３１は、発言権所持者取得部１１１から発言権解放識別子Ｓ２を受信した場合は、通信部１０２への音データＳ６の送信を停止する。
【００８９】
なお、データ処理部１１０と、記憶部１２０は、第１の実施の形態と同様である。
（３−２）第３の実施形態による発言権特定システムの全体動作
次に、図２と、図６のブロック図と、図７乃至９のフローチャートを参照して、本実施の形態の全体の動作について詳細に説明する。
【００９０】
本実施の形態の全体の動作のなかで、再生部１４０と、データ処理部１１０と、記憶部１２０は、第１の実施の形態と同様であるため説明は省略する。
【００９１】
音楽識別子記憶部１２１は、予め、図２（Ａ）に示すように、発言権の所持者識別子５００と音楽識別子５１０との組みを保持するものとする。
【００９２】
また、音楽記憶部１２２は、予め、図２（Ｂ）に示すように、音楽識別子５１０に対応する音楽データ５２０を保持するものとする。
【００９３】
ここで、通信部１０２が発言権の所持者識別子５００を受信したとする。
【００９４】
通信部１０２は、プッシュトゥトークに必要な通信の受信を待つ(図７のステップＣ１)。
【００９５】
通信部１０２が発言権の所持者識別子５００を受信すると(図７のステップＣ２)、発言権の所持者識別子５００を発言権所持者取得部１１１に送信する(図７のステップＣ３)。
【００９６】
合成部１３１が音楽識別子５１０を受信すると(図８のステップＤ１)、音楽識別子５１０に対応する音楽５２０を音楽記憶部１２２から読み出す(図８のステップＤ２)。
【００９７】
合成部１３１は、通信部１０２から音声データＳ４を受信していないため、音楽データ５２０を音データＳ６として通信部１０２に送信する(図８のステップＤ３)。
【００９８】
通信部１０２が合成部１３１から音データＳ６を受信すると(図７のステップＣ６)、音データＳ６を端末２０に送信する(図７のステップＣ７)。
【００９９】
通信部１０１は、プッシュトゥトークに必要な通信の受信を待つ(図９のステップＥ１)。
【０１００】
通信部１０１が音データＳ６を受信すると(図９のステップＥ２)、音データＳ６を再生部１４０に送信する(図９のステップＥ３)。
【０１０１】
次に、通信部１０２がサーバ３０の外部から更に音声データＳ４を受信したとする。
【０１０２】
通信部１０２が音声データＳ４を受信すると(図７のステップＣ４)、音声データを合成部１３１に送信する(図７のステップＣ５)。
【０１０３】
合成部１３１が音声データＳ４を受信すると(図８のステップＤ４)、音楽データ５２０と音声データを合成した音データを通信部１０２に送信する(図８のステップＤ５)。
【０１０４】
次に、通信部１０２がサーバ３０の外部から更に発言権解放識別子Ｓ２を受信したとする。
【０１０５】
通信部１０２が発言権解放識別子Ｓ２を受信すると(図７のステップＣ８)、発言権解放識別子Ｓ２を発言権所持者取得部１１１に送信する(図７のステップＣ９)。
【０１０６】
発言権所持者取得部１１１が、発言権解放識別子Ｓ２を合成部１３１へ送信し、合成部１３１が発言権解放識別子Ｓ２を受信すると(図８のステップＤ６)、通信部１０２への音データＳ６の送信を停止する(図８のステップＤ７)。
（３−３）第３の実施の形態における発言権特定システムの効果
第３の実施の形態によれば、本実施の形態では、第１の実施の形態の効果に加え、音声と音楽の合成をサーバ３０で行うため、各端末にデータ処理部１１０、記憶部１２０、合成部１３０を搭載する必要がなく、端末のコストダウンを図ることができる。
【０１０７】
なお、本実施の形態では、１つの端末と１つのサーバの場合について説明したが、端末とサーバの数に制限はなく、複数の端末やサーバを備えるようにしても良い。
【０１０８】
また、本実施の形態における音楽データは、メロディや歌などのいわゆる一般的な音楽のみならず、ノイズなどの音データ全般を含め、聴覚において識別できるものであれば良い。
（４）第４の実施の形態による発言権特定システム
（４−１）発言権特定システムの構成
次に、第４の実施の形態による発言権特定システムについて、図面を参照しながら詳細に説明する。
【０１０９】
図１０を参照すると、第４の実施の形態による発言権特定システムは、第３の実施の形態の構成要素に加え、音楽識別子記憶部１２１に書き込まれていない音楽識別子Ｓ７を保持する未使用音楽識別子記憶部１２３を、記憶部１２０に備えている。
【０１１０】
また、第４の実施の形態の音楽選択部１１３は、発言権の所持者識別子Ｓ１と組みとなる音楽識別子Ｓ３を音楽識別子記憶部１２１から探し、組みとなる音楽識別子Ｓ３が存在する場合には、その音楽識別子Ｓ３を読み込み、その音楽識別子Ｓ３を合成部１３１に送信する。
【０１１１】
一方、組みとなる音楽識別子Ｓ３が存在しない場合には、未使用音楽識別子記憶部１２３から音楽識別子Ｓ７を削除し、その音楽識別子Ｓ７と発言権の所持者識別子Ｓ１と組みとして音楽識別子記憶部１２１に書き込み、その書き込まれた音楽識別子Ｓ７を合成部１３１に送信するように機能する。
（４−２）第４の実施の形態による発言権特定システムの全体動作
次に、図１０を参照しながら、本実施の形態の全体の動作について詳細に説明する。
【０１１２】
本実施の形態の全体の動作は、音楽選択部１１３が第２の実施の形態と同様であり、その他の構成要素は、本発明における第３の実施の形態と同様であるため、説明は省略する。
（４−３）第４の実施の形態における発言権特定システムの効果
本実施の形態によれば、第３の実施の形態の効果に加え、音楽識別子記憶部１２１に予め発言権の所持者識別子Ｓ１と音楽識別子Ｓ３との組みを登録する必要がない。
【０１１３】
なお、本実施の形態では、１つの端末と１つのサーバの場合について説明したが、端末とサーバの数に制限はなく、複数の端末や複数のサーバを備えるようにしても良い。
【０１１４】
また、本実施の形態における音楽データは、メロディや歌などのいわゆる一般的な音楽のみならず、ノイズなどの音データ全般を含め、聴覚において識別できるものであれば良い。
【実施例１】
【０１１５】
次に、具体的な実施例を用いて、第１の実施の形態に対応する第１の実施例について、図面を参照しながら説明する。
【０１１６】
なお、第１の実施の形態において説明した構成と同一の構成については、同一の符号を付すことにする。以下、後述する他の実施例においても同様とする。
【０１１７】
第１の実施例に示す携帯電話４０は、図１１に示すように、通信部としてのプッシュトゥトーク通信モジュール２００と、データ処理部としてのＣＰＵ(Central Processing Unit)２１０と、記憶部としてＨＤＤ(Hard Disk Drive)２２０と、合成部としてのミキサ２３０と、再生部としてスピーカ２４０とを備えている。
【０１１８】
ＣＰＵ２１０は、発言権所持者取得部１１１と音楽選択部１１２として動作する。
【０１１９】
ＨＤＤ２２０は、発言権の所持者識別子ＰＩＤ１と音楽識別子ＳＩＤ１との組みを保存する音楽識別子記憶部１２１と、ＳＩＤ１に対応する音楽データＳＤＡＴＡ１を保存する音楽記憶部１２２を保持する。
【０１２０】
今、プッシュトゥトーク通信モジュール２００が所持者識別子ＰＩＤ１を受信したとする。
【０１２１】
プッシュトゥトーク通信モジュール２００は、所持者識別子ＰＩＤ１を発言権所持者取得部１１１に送信する。
【０１２２】
発言権所持者取得部１１１は、所持者識別子ＰＩＤ１を受信すると、音楽選択部１１２に所持者識別子ＰＩＤ１を送信する。
【０１２３】
音楽選択部１１２は、所持者識別子ＰＩＤ１と組みとなる音楽識別子ＳＩＤ１を音楽識別子記憶部１２１から読み込む。
【０１２４】
そして、音楽選択部１１２は、音楽識別子ＳＩＤ１をミキサ２３０に送信する。
【０１２５】
ミキサ２３０は、音楽識別子ＳＩＤ１に対応する音楽データＳＤＡＴＡ１を音楽記憶部１２２から読み込む。
【０１２６】
今は、音声データをプッシュトゥトーク通信モジュール２００から受信していないため、音楽データＳＤＡＴＡ１を音データとしてスピーカ２４０に送信する。
【０１２７】
スピーカ２４０は、受信した音データを再生する。
【０１２８】
次に、プッシュトゥトーク通信モジュール２００が、更に音声データを受信したとする。
【０１２９】
プッシュトゥトーク通信モジュール２００は、音声データをミキサ２３０に送信する。
【０１３０】
ミキサ２３０は、音声データとＳＤＡＴＡ１を合成し、合成した音データをスピーカ２４０に送信する。
【０１３１】
スピーカ２４０は、受信した音データを再生する。
【０１３２】
次に、プッシュトゥトーク通信モジュール２００が、更に発言権解放識別子ＲＩＤ１を受信したとする。
【０１３３】
プッシュトゥトーク通信モジュール２００は、発言権解放識別子ＲＩＤ１を発言権所持者取得部１１１に送信する。
【０１３４】
発言権所持者取得部１１１は、ＲＩＤ１を受信すると、ミキサ２３０にＲＩＤ１を送信する。
【０１３５】
ミキサ２３０はＲＩＤ１を受信すると、スピーカ２４０への音データの送信を停止する。
【実施例２】
【０１３６】
次に、具体的な実施例を用いて、第２の実施の形態に対応する第２の実施例について、図面を参照しながら説明する。
【０１３７】
第２の実施例に示す携帯電話４０は、図１２に示すように、通信部としてのプッシュトゥトーク通信モジュール２００と、データ処理部としてのＣＰＵ２１０と、記憶部としてのフラッシュメモリ２５０と、合成部としてミキサ２３０と、再生部としてスピーカ２４０とを備えている。
【０１３８】
ＣＰＵ２１０は、発言権所持者取得部１１１と音楽選択部１１２として動作する。
【０１３９】
フラッシュメモリ２５０は、未使用音楽識別子記憶部１２３と、音楽識別子記憶部１２１と、音楽記憶部１２２とを備えている。
【０１４０】
未使用音楽識別子記憶部１２３は、音楽識別子ＳＩＤ１と音楽識別子ＳＩＤ２とを保存する。
【０１４１】
音楽識別子記憶部１２１は、発言権の所持者識別子ＰＩＤ３と音楽識別子ＳＩＤ３の組みを保存する。
【０１４２】
音楽記憶部１２２は、音楽識別子ＳＩＤ１に対応する音楽データＳＤＡＴＡ１と、音楽識別子ＳＩＤ２に対応する音楽データＳＤＡＴＡ２と、音楽識別子ＳＩＤ３に対応する音楽データＳＤＡＴＡ３とを保存する。
【０１４３】
今、プッシュトゥトーク通信モジュール２００が発言権の所持者識別子ＰＩＤ１を受信したとする。
【０１４４】
プッシュトゥトーク通信モジュール２００は、所持者識別子ＰＩＤ１を発言権所持者取得部１１１に送信する。
【０１４５】
発言権所持者取得部１１１は所持者識別子ＰＩＤ１を受信すると、音楽選択部１１２に所持者識別子ＰＩＤ１を送信する。
【０１４６】
音楽選択部１１２は、所持者識別子ＰＩＤ１と組みとなる音楽識別子を音楽識別子記憶部１２１から読み出そうとするが、音楽識別子記憶部１２１には所持者識別子ＰＩＤ１と組みとなる音楽識別子が保存されていないため、未使用音楽識別子記憶部１２３から音楽識別子ＳＩＤ１を削除し、所持者識別子ＰＩＤ１と音楽識別子ＳＩＤ１を組みとして音楽識別子記憶部１２１に書込む。
【０１４７】
そして、音楽識別子ＳＩＤ１をミキサ２３０に送信する。
【０１４８】
ミキサ２３０は、音楽識別子ＳＩＤ１に対応する音楽データＳＤＡＴＡ１を音楽記憶部１２１から読み出す。
【０１４９】
今は、音声データをプッシュトゥトーク通信モジュール２００から受信していないため、ＳＤＡＴＡ１を音データとしてスピーカ２４０に送信する。
【０１５０】
スピーカ２４０は、受信した音データを再生する。
【０１５１】
次に、プッシュトゥトーク通信モジュール２００が、更に音声データを受信したとする。
【０１５２】
プッシュトゥトーク通信モジュール２００は、音声データをミキサ２３０に送信する。
【０１５３】
ミキサは、音声データと音楽データＳＤＡＴＡ１を合成し、合成した音データをスピーカ２４０に送信する。
【０１５４】
スピーカ２４０は、受信した音データを再生する。
【０１５５】
次に、プッシュトゥトーク通信モジュール２００が、更に発言権解放識別子ＲＩＤ１を受信したとする。
【０１５６】
プッシュトゥトーク通信モジュール２００は、発言権解放識別子ＲＩＤ１を発言権所持者取得部１１１に送信する。
【０１５７】
発言権所持者取得部１１１は、発言権解放識別子ＲＩＤ１を受信すると、ミキサ２３０に発言権解放識別子ＲＩＤ１を送信する。
【０１５８】
ミキサ２３０は発言権解放識別子ＲＩＤ１を受信すると、スピーカ２４０への音データの送信を停止する。
【実施例３】
【０１５９】
次に、具体的な実施例を用いて、第３の実施の形態に対応する第３の実施例について、図面を参照しながら説明する。
【０１６０】
第３の実施例の発言権特定システムは、図１３に示すように、プッシュトゥトークサーバ５０と、携帯電話６０とを備えている。
【０１６１】
プッシュトゥトークサーバ５０は、通信部としてのプッシュトゥトーク通信モジュール２００と、データ処理部としてのＣＰＵ２１０と、記憶部としてＨＤＤ２２０と、合成部としてミキサ２３０とを備えている。
【０１６２】
携帯電話６０は、通信部としてプッシュトゥトーク通信モジュール３００と、再生部としてスピーカ３１０とを備えている。
【０１６３】
ＣＰＵ２１０は、発言権所持者取得部１１１と音楽選択部１１２として動作する。
【０１６４】
ＨＤＤ２２０は、発言権の所持者識別子ＰＩＤ１と音楽識別子ＳＩＤ１との組みを保存する音楽識別子記憶部１２１と、音楽識別子ＳＩＤ１に対応する音楽データＳＤＡＴＡ１を保存する音楽記憶部１２２を保持する。
【０１６５】
今、プッシュトゥトークサーバ５０のプッシュトゥトーク通信モジュール２００が所持者識別子ＰＩＤ１を受信したとする。
【０１６６】
プッシュトゥトーク通信モジュール２００は、所持者識別子ＰＩＤ１を発言権所持者取得部１１１に送信する。
【０１６７】
発言権所持者取得部１１１は所持者識別子ＰＩＤ１を受信すると、音楽選択部１１２に所持者識別子ＰＩＤ１を送信する。
【０１６８】
音楽選択部１１２は、所持者識別子ＰＩＤ１と組みとなる音楽識別子ＳＩＤ１を音楽識別子記憶部１２１から読み込む。
【０１６９】
そして、音楽識別子ＳＩＤ１をミキサ２３０に送信する。
【０１７０】
ミキサ２３０は、音楽識別子ＳＩＤ１に対応する音楽データＳＤＡＴＡ１を音楽記憶部１２２から読み込む。
【０１７１】
今は音声データをプッシュトゥトーク通信モジュール２００から受信していないため、音楽データＳＤＡＴＡ１を音データとして、プッシュトゥトーク通信モジュール２００に送信する。
【０１７２】
プッシュトゥトーク通信モジュール２００は、受信した音データを携帯電話６０に送信する。
【０１７３】
携帯電話６０のプッシュトゥトーク通信モジュール３００は、プッシュトゥトークサーバ５０から音データを受信する。
【０１７４】
プッシュトゥトーク通信モジュール３００は、受信した音データをスピーカ３１０に送信する。
【０１７５】
スピーカ３１０は、受信した音データを再生する。
【０１７６】
次に、プッシュトゥトークサーバ５０のプッシュトゥトーク通信モジュール２００が、更に音声データを受信したとする。
【０１７７】
プッシュトゥトーク通信モジュール２００は、音声データをミキサ２３０に送信する。
【０１７８】
ミキサ２３０は、音声データと音楽識別子ＳＤＡＴＡ１を合成し、合成した音データをプッシュトゥトーク通信モジュール２００に送信する。
【０１７９】
プッシュトゥトーク通信モジュール２００は、受信した音データを携帯電話６０に送信する。
【０１８０】
携帯電話６０のプッシュトゥトーク通信モジュール３００は、プッシュトゥトークサーバ５０から音データを受信する。
【０１８１】
プッシュトゥトーク通信モジュール３００は、受信した音データをスピーカ３１０に送信する。
【０１８２】
スピーカ３１０は、受信した音データを再生する。
【０１８３】
次に、プッシュトゥトークサーバ５０のプッシュトゥトーク通信モジュール２００が、更に発言権解放識別子ＲＩＤ１を受信したとする。
【０１８４】
プッシュトゥトーク通信モジュール２００は、発言権解放識別子ＲＩＤ１を発言権所持者取得部１１１に送信する。
【０１８５】
発言権所持者取得部１１１は発言権解放識別子ＲＩＤ１を受信すると、ミキサ２３０に発言権解放識別子ＲＩＤ１を送信する。
【０１８６】
ミキサ２３０は発言権解放識別子ＲＩＤ１を受信すると、プッシュトゥトーク通信モジュール２００への音データの送信を停止する。
【実施例４】
【０１８７】
次に、具体的な実施例を用いて、第４の実施の形態に対応する第４の実施例について、図面を参照しながら説明する。
【０１８８】
第４の実施例に示す発言権特定システムは、図１４に示すように、プッシュトゥトークサーバ５０と、携帯電話６０とを備えている。
【０１８９】
プッシュトゥトークサーバ５０は、通信部としてのプッシュトゥトーク通信モジュール２００と、データ処理部としてのＣＰＵ２１０と、記憶部としてのフラッシュメモリ２５０と、合成部としてのミキサ２３０とを備えている。
【０１９０】
携帯電話６０は、通信部としてのプッシュトゥトーク通信モジュール３００と、再生部としてのスピーカ３１０とを備えている。
【０１９１】
ＣＰＵ２１０は発言権所持者取得部１１１と音楽選択部１１２として動作する。
【０１９２】
フラッシュメモリ２５０は、音楽識別子ＳＩＤ１と、音楽識別子ＳＩＤ２とを保存する未使用音楽識別子記憶部１２３と、発言権の所持者識別子ＰＩＤ３と音楽識別子ＳＩＤ３との組みを保存する音楽識別子記憶部１２１と、音楽識別子ＳＩＤ１に対応する音楽データＳＤＡＴＡ１と、音楽識別子ＳＩＤ２に対応する音楽データＳＤＡＴＡ２と、音楽識別子ＳＩＤ３に対応する音楽データＳＤＡＴＡ３とを保存する音楽記憶部１２２を保持する。
【０１９３】
今、プッシュトゥトークサーバ５０のプッシュトゥトーク通信モジュール２００が所持者識別子ＰＩＤ１を受信したとする。
【０１９４】
プッシュトゥトーク通信モジュール２００は、所持者識別子ＰＩＤ１を発言権所持者取得部１１１に送信する。
【０１９５】
発言権所持者取得部１１１は、所持者識別子ＰＩＤ１を受信すると、音楽選択部１１２に所持者識別子ＰＩＤ１を送信する。
【０１９６】
音楽選択部１１２は、所持者識別子ＰＩＤ１と組みとなる音楽識別子を音楽識別子記憶部１２１から読み込もうとするが、音楽識別子記憶部１２１には所持者識別子ＰＩＤ１と組みとなる音楽識別子が保存されていないため、未使用音楽識別子記憶部１２３から音楽識別子ＳＩＤ１を削除し、所持者識別子ＰＩＤ１と音楽識別子ＳＩＤ１を組みとして音楽識別子記憶部１２１に書き込む。
【０１９７】
そして、音楽選択部１１２は、音楽識別子ＳＩＤ１をミキサ２３０に送信する。
【０１９８】
ミキサ２３０は、音楽識別子ＳＩＤ１に対応する音楽データＳＤＡＴＡ１を音楽記憶部１２２から読み込む。
【０１９９】
今は音声データをプッシュトゥトーク通信モジュール２００から受信していないため、音楽データＳＤＡＴＡ１を音データとしてプッシュトゥトーク通信モジュール２００に送信する。
【０２００】
プッシュトゥトーク通信モジュール２００は、受信した音データを携帯電話６０に送信する。
【０２０１】
携帯電話６０のプッシュトゥトーク通信モジュール３００は、プッシュトゥトークサーバ５０から音データを受信する。
【０２０２】
プッシュトゥトーク通信モジュール３００は受信した音データをスピーカ３１０に送信する。
【０２０３】
スピーカ３１０は受信した音データを再生する。
【０２０４】
次に、プッシュトゥトークサーバ５０のプッシュトゥトーク通信モジュール２００が、更に音声データを受信したとする。
【０２０５】
プッシュトゥトーク通信モジュール２００は、音声データをミキサ２３０に送信する。
【０２０６】
ミキサ２３０は、音声データと音楽データＳＤＡＴＡ１を合成し、合成した音データをプッシュトゥトーク通信モジュール２００に送信する。
【０２０７】
プッシュトゥトーク通信モジュール２００は、受信した音データを携帯電話６０に送信する。
【０２０８】
携帯電話６０のプッシュトゥトーク通信モジュール３００は、プッシュトゥトークサーバ５０から音データを受信する。
【０２０９】
プッシュトゥトーク通信モジュール３００は、受信した音データをスピーカ３１０に送信する。
【０２１０】
スピーカ３１０は、受信した音データを再生する。
【０２１１】
次に、プッシュトゥトークサーバ５０のプッシュトゥトーク通信モジュール２００が、更に発言権解放識別子ＲＩＤ１を受信したとする。
【０２１２】
プッシュトゥトーク通信モジュール２００は、発言権解放識別子ＲＩＤ１を発言権所持者取得部１１１に送信する。
【０２１３】
発言権所持者取得部１１１は、発言権解放識別子ＲＩＤ１を受信すると、ミキサ２３０に発言権解放識別子ＲＩＤ１を送信する。
【０２１４】
ミキサ２３０は、発言権解放識別子ＲＩＤ１を受信すると、プッシュトゥトーク通信モジュール２００への音データの送信を停止する。
【産業上の利用可能性】
【０２１５】
本発明によれば、プッシュトゥトークを用いた通話において、発言権の所持者に応じた音楽を音声と合成して再生することで、自身の発言権の有無や発言権の所持者を音から特定する用途に適用できる。
【図面の簡単な説明】
【０２１６】
【図１】本発明に係る第１の実施の形態による発言権特定端末の構成を示すブロック図である。
【図２】本発明に係る第１の実施の形態による発言権特定端末の音楽識別子記憶部に記憶されている発言権の所持者識別子と音楽識別子との格納例と、音楽記憶部に記憶されている音楽識別子と音楽データの格納例を示す図である。
【図３】本発明に係る第１の実施の形態による発言権特定端末の全体動作を示すフローチャートである。
【図４】本発明に係る第２の実施の形態による発言権特定端末の構成を示すブロック図である。
【図５】本発明に係る第２の実施の形態による発言権特定端末の音楽選択部の動作を示すフローチャートである。
【図６】本発明に係る第３の実施の形態による発言権特定システムの構成を示すブロック図である。
【図７】本発明に係る第３の実施の形態の通信部１０２の動作を示すフローチャートである。
【図８】本発明に係る第３の実施の形態の合成部の動作を示すフローチャートである。
【図９】本発明に係る第３の実施の形態における通信部１０１の動作を示すフローチャートである。
【図１０】本発明に係る第４の実施の形態による発言権特定システムの構成を示すブロック図である。
【図１１】本発明に係る第１の実施の形態による第１の実施例を示す図である。
【図１２】本発明に係る第２の実施の形態による第２の実施例を示す図である。
【図１３】本発明に係る第３の実施の形態による第３の実施例を示す図である。
【図１４】本発明に係る第４の実施の形態による第４の実施例を示す図である。
【符号の説明】
【０２１７】
１０、２０  端末
３０  サーバ
５０  プッシュトゥトークサーバ
４０、６０  携帯電話
１００、１０１、１０２  通信部
１１０  データ処理部
１１１  発言権所持者取得部
１１２、１１３  音楽選択部
１２０  記憶部
１２１  音楽識別子記憶部
１２２  音楽記憶部
１２３  未使用音楽識別子記憶部
１３０、１３１  合成部
１４０  再生部
２００、３００  プッシュトゥトーク通信モジュール
２１０  ＣＰＵ
２２０  ＨＤＤ
２３０  ミキサ
２４０、３１０  スピーカ
２５０  フラッシュメモリ
５００  発言権の所持者識別子
５１０  音楽識別子
５２０  音楽データ
【図１】
2008236640.tif 000003
【図２】
2008236640.tif 000004
【図３】
2008236640.tif 000005
【図４】
2008236640.tif 000006
【図５】
2008236640.tif 000007
【図６】
2008236640.tif 000008
【図７】
2008236640.tif 000009
【図８】
2008236640.tif 000010
【図９】
2008236640.tif 000011
【図１０】
2008236640.tif 000012
【図１１】
2008236640.tif 000013
【図１２】
2008236640.tif 000014
【図１３】
2008236640.tif 000015
【図１４】
2008236640.tif 000016